【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
第一枠体と第二枠体とによって形成される現像剤を収容可能な現像剤収容室を有し、
前記第一枠体に設けられており振動エネルギーが印加されることで融解する融解部が、前記第二枠体に接触した状態で融解することにより、前記第一枠体と前記第二枠体とが溶着して形成される現像剤収納容器であって、
前記現像剤収容室内に設けられる可動部材と、
前記第一枠体又は前記第二枠体のいずれか一方の枠体に設けられ、前記第一枠体又は前記第二枠体のいずれか他方の枠体が前記一方の枠体に組み付けられるまで前記可動部材を仮支持するための仮支持部と、
前記他方の枠体に設けられる当接部材であって、前記第一枠体と前記第二枠体とを溶着する際に、前記可動部材に当接して前記可動部材の位置を規制する当接部材と、
前記可動部材に駆動力を伝達する駆動伝達部材であって、前記可動部材と連結することによって、前記可動部材を前記当接部材に対して非接触の状態にする駆動伝達部材と、
を有することを特徴とする現像剤収納容器。
【請求項２】
前記可動部材は、回転体であることを特徴とする請求項１に記載の現像剤収納容器。
【請求項３】
前記当接部材は、前記他方の枠体が前記一方の枠体に組み付けられた際に、前記可動部材が前記仮支持部と非接触の状態に前記可動部材の位置を規制することを特徴とする請求項１又は２に記載の現像剤収納容器。
【請求項４】
前記他方の枠体は、前記駆動伝達部材を支持するための軸孔を有しており、
前記軸孔に挿入された前記駆動伝達部材と前記他方の枠体との隙間をシールするシール部材と、前記当接部材とは、一の部材からなることを特徴とする請求項１乃至３のいずれか１項に記載の現像剤収納容器。
【請求項５】
前記可動部材は、
前記現像剤収容室内に収容される現像剤を撹拌する撹拌部材であって、
前記駆動伝達部材から伝達される駆動力によって回転する撹拌軸と、前記撹拌軸の回転に伴って前記第一枠体及び前記第二枠体の内壁に接触しながら回転する撹拌部と、を有する撹拌部材であることを特徴とする請求項１乃至３のいずれか１項に記載の現像剤収納容
器。
【請求項６】
前記他方の枠体は、前記撹拌軸を支持するための軸孔を有しており、
前記軸孔に挿入された前記撹拌軸と前記他方の枠体との隙間をシールするシール部材と、前記当接部材とは、一の部材からなることを特徴とする請求項５に記載の現像剤収納容器。
【請求項７】
前記当接部材は、熱可塑性エラストマからなり、前記他方の枠体に一体的に成形されていることを特徴とする請求項１乃至６のいずれか１項に記載の現像剤収納容器。
【請求項８】
第一枠体と第二枠体とによって形成される現像剤を収容可能な現像剤収容室を有し、
前記第一枠体に設けられており振動エネルギーが印加されることで融解する融解部が、前記第二枠体に接触した状態で融解することにより、前記第一枠体と前記第二枠体とが溶着して形成される現像剤収納容器であって、
前記現像剤収容室内に設けられる可動部材と、
前記第一枠体又は前記第二枠体のいずれか一方の枠体に設けられ、前記第一枠体又は前記第二枠体のいずれか他方の枠体が前記一方の枠体に組み付けられるまで前記可動部材を仮支持するための仮支持部と、
熱可塑性エラストマで前記他方の枠体に一体的に成形された当接部材であって、前記第一枠体と前記第二枠体とを溶着する際に、前記可動部材に当接して前記可動部材の位置を規制する当接部材と、
を有することを特徴とする現像剤収納容器。
【請求項９】
前記可動部材に駆動力を伝達する駆動伝達部材であって、前記可動部材と連結することによって、前記可動部材を前記当接部材に対して非接触の状態にする駆動伝達部材と、
をさらに有することを特徴とする請求項８に記載の現像剤収納容器。
【請求項１０】
前記可動部材は、回転体であることを特徴とする請求項８又は９に記載の現像剤収納容器。
【請求項１１】
前記当接部材は、前記他方の枠体が前記一方の枠体に組み付けられた際に、前記可動部材が前記仮支持部と非接触の状態に前記可動部材の位置を規制することを特徴とする請求項８乃至１０のいずれか１項に記載の現像剤収納容器。
【請求項１２】
前記可動部材は、
前記現像剤収容室内に収容される現像剤を撹拌する撹拌部材であって、
前記駆動伝達部材から伝達される駆動力によって回転する撹拌軸と、前記撹拌軸の回転に伴って前記第一枠体及び前記第二枠体の内壁に接触しながら回転する撹拌部と、を有する撹拌部材であることを特徴とする請求項８乃至１１のいずれか１項に記載の現像剤収納容器。
【請求項１３】
前記他方の枠体は、前記撹拌軸を支持するための軸孔を有しており、
前記軸孔に挿入された前記撹拌軸と前記他方の枠体との隙間をシールするシール部材と、前記当接部材とは、一の部材からなることを特徴とする請求項１２に記載の現像剤収納容器。
【請求項１４】
画像形成装置に着脱可能なプロセスカートリッジであって、
請求項１乃至１３のいずれか１項に記載の現像剤収納容器を備えることを特徴とするプロセスカートリッジ。
【請求項１５】
第一枠体と第二枠体とによって形成される現像剤を収容可能な現像剤収容室内に可動部材を設けた現像剤収納容器の製造方法であって、
前記可動部材を用意する工程Ａと、
前記可動部材を仮支持するための仮支持部を備えた前記第一枠体を用意する工程Ｂと、
前記可動部材に当接して前記可動部材の位置を規制する当接部材が設けられた前記第二枠体を用意する工程Ｃと、
前記工程Ａ、前記工程Ｂ、前記工程Ｃの後、前記第一枠体と前記第二枠体を組み付け、前記可動部材を位置決めするとともに、前記可動部材を前記当接部材に対して非接触の状態として、前記可動部材に駆動力を伝達する駆動伝達部材を前記可動部材と連結する工程Ｄと、
前記工程Ｄの後、前記第一枠体と前記第二枠体のいずれか一方に振動エネルギーを印加して融解させることにより前記第一枠体と前記第二枠体とが溶着する工程Ｇと、
を有することを特徴とする現像剤収納容器の製造方法。
【請求項１６】
前記工程Ｃにおいて、前記当接部材は、前記可動部材が前記仮支持部と非接触の状態で前記可動部材の位置を規制することを特徴とする請求項１５に記載の現像剤収納容器の製造方法。
【請求項１７】
前記工程Ａは、回転可能な前記可動部材を用意する工程であることを特徴とする請求項１５又は１６に記載の現像剤収納容器の製造方法。
【請求項１８】
前記工程Ｃは、前記駆動伝達部材を支持するための軸孔を有する前記第二枠体を形成する工程であって、
前記工程Ｂは、前記軸孔に挿入された前記駆動伝達部材と前記第二枠体との隙間をシールするシール部材を前記第一枠体に形成する工程であることを特徴とする請求項１５乃至１７のいずれか１項に記載の現像剤収納容器の製造方法。
【請求項１９】
前記工程Ａは、前記可動部材として、前記駆動伝達部材から伝達される駆動力によって回転する撹拌軸と、前記撹拌軸の回転に伴って第一枠体及び前記第二枠体の内壁に接触しながら回転する撹拌部と、を有し、前記現像剤収容室内に収容される現像剤を撹拌する撹拌部材を形成する工程であることを特徴とする請求項１５乃至１７のいずれか１項に記載の現像剤収納容器の製造方法。
【請求項２０】
前記工程Ｃは、前記撹拌軸を支持するための軸孔を有する前記第二枠体を形成する工程であって、
前記工程Ｂは、前記軸孔に挿入された前記撹拌軸と前記第二枠体との隙間をシールするシール部材を前記第一枠体に形成する工程であることを特徴とする請求項１９に記載の現像剤収納容器の製造方法。
【請求項２１】
前記工程Ｃは、前記第二枠体と型で形成した空間に熱可塑性エラストマを流し込み、前記当接部材を形成する工程を有することを特徴とする請求項１５乃至２０のいずれか１項に記載の現像剤収納容器の製造方法。
【請求項２２】
第一枠体と第二枠体とによって形成される現像剤を収容可能な現像剤収容室内に可動部材を設けた現像剤収納容器の製造方法であって、
前記可動部材を用意する工程Ａと、
前記可動部材を仮支持するための仮支持部を備えた前記第一枠体を用意する工程Ｂと、
熱可塑性エラストマからなり、前記可動部材に当接して前記可動部材の位置を規制する当接部材が一体的に形成された前記第二枠体を用意する工程Ｅと、
前記工程Ａ、前記工程Ｂ、前記工程Ｃの後、前記第一枠体と前記第二枠体を組み付け、
前記可動部材を位置決めする工程Ｆと、
前記工程Ｆの後、前記第一枠体と前記第二枠体のいずれか一方に振動エネルギーを印加して融解させることにより前記第一枠体と前記第二枠体とが溶着する工程Ｇと、を有することを特徴とする現像剤収納容器の製造方法。
【請求項２３】
前記工程Ｃは、前記第二枠体と型で形成した空間に熱可塑性エラストマを流し込み、前記当接部材を形成する工程を有することを特徴とする請求項２２に記載の現像剤収納容器の製造方法。
【請求項２４】
前記工程Ａは、回転可能な前記可動部材を用意する工程であることを特徴とする請求項２２又は２３に記載の現像剤収納容器の製造方法。
【請求項２５】
前記工程Ａは、前記可動部材として、駆動伝達部材から伝達される駆動力によって回転する撹拌軸と、前記撹拌軸の回転に伴って第一枠体及び前記第二枠体の内壁に接触しながら回転する撹拌部と、を有し、前記現像剤収容室内に収容される現像剤を撹拌する撹拌部材を形成する工程であることを特徴とする請求項２２乃至２４のいずれか１項に記載の現像剤収納容器の製造方法。
【請求項２６】
前記工程Ｃは、前記撹拌軸を支持するための軸孔を有する前記第二枠体を形成する工程であって、
前記工程Ｂは、前記軸孔に挿入された前記撹拌軸と前記第二枠体との隙間をシールするシール部材を前記第一枠体に形成する工程であることを特徴とする請求項２５に記載の現像剤収納容器の製造方法。
【請求項２７】
前記工程Ｃは、前記駆動伝達部材を支持するための軸孔を有する前記第二枠体を形成する工程であって、
前記工程Ｂは、前記軸孔に挿入された前記駆動伝達部材と前記第二枠体との隙間をシールするシール部材を前記第一枠体に形成する工程であることを特徴とする請求項２５に記載の現像剤収納容器の製造方法。
【手続補正２】
【補正対象書類名】明細書
【補正対象項目名】発明の名称
【補正方法】変更
【補正の内容】
【発明の名称】現像剤収納容器、プロセスカートリッジおよび現像剤収納容器の製造方法
【手続補正３】
【補正対象書類名】明細書
【補正対象項目名】０００１
【補正方法】変更
【補正の内容】
【０００１】
本発明は、現像剤収納容器、現像剤収納容器を備えるプロセスカートリッジおよび現像剤収納容器の製造方法に関するものである。 
【手続補正４】
【補正対象書類名】明細書
【補正対象項目名】０００７
【補正方法】変更
【補正の内容】
【０００７】
また、本発明に係る画像形成装置に着脱可能なプロセスカートリッジは、上記現像剤収納容器を備えることを特徴とする。
また、本発明に係る現像剤収納容器は、
第一枠体と第二枠体とによって形成される現像剤を収容可能な現像剤収容室を有し、
前記第一枠体に設けられており振動エネルギーが印加されることで融解する融解部が、前記第二枠体に接触した状態で融解することにより、前記第一枠体と前記第二枠体とが溶着して形成される現像剤収納容器であって、
前記現像剤収容室内に設けられる可動部材と、
前記第一枠体又は前記第二枠体のいずれか一方の枠体に設けられ、前記第一枠体又は前記第二枠体のいずれか他方の枠体が前記一方の枠体に組み付けられるまで前記可動部材を仮支持するための仮支持部と、
熱可塑性エラストマで前記他方の枠体に一体的に成形された当接部材であって、前記第一枠体と前記第二枠体とを溶着する際に、前記可動部材に当接して前記可動部材の位置を規制する当接部材と、
を有することを特徴とする。
また、本発明に係る現像剤収納容器の製造方法は、
第一枠体と第二枠体とによって形成される現像剤を収容可能な現像剤収容室内に可動部材を設けた現像剤収納容器の製造方法であって、
前記可動部材を用意する工程Ａと、
前記可動部材を仮支持するための仮支持部を備えた前記第一枠体を用意する工程Ｂと、
前記可動部材に当接して前記可動部材の位置を規制する当接部材が設けられた前記第二枠体を用意する工程Ｃと、
前記工程Ａ、前記工程Ｂ、前記工程Ｃの後、前記第一枠体と前記第二枠体を組み付け、前記可動部材を位置決めするとともに、前記可動部材を前記当接部材に対して非接触の状態として、前記可動部材に駆動力を伝達する駆動伝達部材を前記可動部材と連結する工程Ｄと、
前記工程Ｄの後、前記第一枠体と前記第二枠体のいずれか一方に振動エネルギーを印加して融解させることにより前記第一枠体と前記第二枠体とが溶着する工程Ｇと、
を有することを特徴とする。
また、本発明に係る現像剤収納容器の製造方法は、
第一枠体と第二枠体とによって形成される現像剤を収容可能な現像剤収容室内に可動部材を設けた現像剤収納容器の製造方法であって、
前記可動部材を用意する工程Ａと、
前記可動部材を仮支持するための仮支持部を備えた前記第一枠体を用意する工程Ｂと、
熱可塑性エラストマからなり、前記可動部材に当接して前記可動部材の位置を規制する当接部材が一体的に形成された前記第二枠体を用意する工程Ｅと、
前記工程Ａ、前記工程Ｂ、前記工程Ｃの後、前記第一枠体と前記第二枠体を組み付け、前記可動部材を位置決めする工程Ｆと、
前記工程Ｆの後、前記第一枠体と前記第二枠体のいずれか一方に振動エネルギーを印加して融解させることにより前記第一枠体と前記第二枠体とが溶着する工程Ｇと、を有することを特徴とする。